(57)【要約】【課題】輸送・運搬の際等に、意図せず包装フィルムが開封されてしまう事態を有効に防止することができ、製造が容易で、高い生産性で製造することが可能な包装体を提供する。【解決手段】複数の被包装体２が多段に積層された積層体１０と、積層体１０を被包する包装フィルム４とを備え、包装フィルム４は、一方の側縁部と他方の側縁部とが重なるように、積層体１０の周面に巻き付けられるとともに、少なくとも一方の側縁部１２の先端側が自由端部１４となるように、積層体１０の積層方向に沿って接合されて接合部１６が形成されており、包装フィルム４には、一対の開封用切込線１８ａ，１８ｂが形成され、一対の開封用切込線１８ａ，１８ｂの間の領域が開封帯２０となっており、開封帯２０は、自由端部１４の部分を起点とし、被包装体２の積層方向に対して斜め方向に向かって形成されている包装体１Ａ。【選択図】図１
0003140206.tif 000002
【実用新案登録請求の範囲】
【請求項１】
複数の被包装体が多段に積層された積層体と、前記積層体を被包する包装フィルムとを備え、
前記包装フィルムは、一方の側縁部と他方の側縁部とが重なるように、前記積層体の周面に巻き付けられるとともに、少なくとも一方の側縁部の先端側が自由端部となるように、前記積層体の積層方向に沿って接合されて接合部が形成されており、
前記包装フィルムには、一対の開封用切込線が形成され、前記一対の開封用切込線の間の領域が開封帯となっており、
前記開封帯は、前記自由端部の先端を起点とし、前記被包装体の積層方向に対して斜め方向に向かって形成されている包装体。
【請求項２】
前記開封帯は、前記包装フィルムのうち、最上段の被包装体を被包する部分から、最下段の被包装体を被包する部分に至るまで形成されている請求項１に記載の包装体。
【請求項３】
前記開封帯は、起点から終点に向かうにつれて、幅が狭くなるように形成されている請求項１又は２に記載の包装体。
【請求項４】
前記開封帯は、前記包装フィルムのうち、前記積層体の周径の５０％を取り囲むように形成されている請求項１〜３のいずれか一項に記載の包装体。
【請求項５】
前記開封帯の起点の位置を指示するマーキングが付されている請求項１〜４のいずれか一項に記載の包装体。
【請求項６】
前記接合部の剥離強度が、前記開封用切込線の破断強度よりも低い請求項１〜５のいずれか一項に記載の包装体。
【考案の詳細な説明】
【技術分野】
【０００１】
本考案は、包装フィルムにより、複数の被包装体が一体的に包装された包装体に関するものである。より具体的には、包装フィルムの開封を容易とする開封帯を形成し得る包装体に関するものである。
【背景技術】
【０００２】
ロール状衛生用紙（トイレットペーパー、キッチンペーパー、タオルペーパー、クッキングシート等）、カートン入り衛生用紙（ティシュペーパー等）、生理用ナプキン、使い捨ておむつ等の使い捨て紙製品は、複数のロール、カートン等が一体的に包装された包装体の状態で市販されている。
【０００３】
通常、このような包装体は、複数の被包装体が多段に積層された積層体が、包装フィルムによって被包されていることが多い。そして、包装フィルムの開封や被包装体の取出しを容易とするための工夫が施された包装体も知られている。
【０００４】
そのような包装体としては、例えば、包装フィルムに開封用のミシン目が形成され、そのミシン目の端部に開封用テープや摘みフィルムが設けられたティシュペーパーの包装体（特許文献１〜３参照）、複数の被包装体の境目に全周に渡って切離し用テープを設けた衛生薄葉紙箱の包装パック（特許文献４参照）、等が開示されている。
【０００５】
【特許文献１】特開平８−１０４３５６号公報
【特許文献２】特開２００４−１８０２号公報
【特許文献３】特開平８−２４４８２９号公報
【特許文献４】特開２００３−３４１７２４号公報
【考案の開示】
【考案が解決しようとする課題】
【０００６】
しかし、これらの包装体では、包装フィルムの開封が容易になっているものの、反面、輸送・運搬の際等に、意図せず包装フィルムが開封されてしまう場合があるという課題があった。また、包装体の製造に際し、開封用テープや切離し用テープ等の別部材を付設する必要があり、包装体を簡便に製造し、生産性を向上させるという観点からは未だ解決すべき課題を残すものであった。
【０００７】
本考案は、このような従来技術の課題を解決するためになされたものであって、輸送・運搬の際等に、意図せず包装フィルムが開封されてしまう事態を有効に防止することができ、製造が容易で、高い生産性で製造することが可能な包装体を提供するものである。
【課題を解決するための手段】
【０００８】
本考案者は、前記のような従来技術の課題を解決するために鋭意検討した結果、被包装体の積層方向に対して斜め方向に開封手段となる開封帯を配置することによって、また、包装フィルムの一部（側縁部）に開封用テープ等としての機能を持たせることによって、上記課題が解決されることに想到し、本考案を完成させた。具体的には、本考案により、以下の包装体が提供される。
【０００９】
［１］  複数の被包装体が多段に積層された積層体と、前記積層体を被包する包装フィルムとを備え、前記包装フィルムは、一方の側縁部と他方の側縁部とが重なるように、前記積層体の周面に巻き付けられるとともに、少なくとも一方の側縁部の先端部が自由端部となるように、前記積層体の積層方向に沿って接合されて接合部が形成されており、前記包装フィルムには、一対の開封用切込線が形成され、前記一対の開封用切込線の間の領域が開封帯となっており、前記開封帯は、前記自由端の部分を起点とし、前記被包装体の積層方向に対して斜め方向に向かって形成されている包装体。
【００１０】
［２］  前記開封帯は、前記包装フィルムのうち、最上段の被包装体を被包する部分から、最下段の被包装体を被包する部分に至るまで形成されている前記［１］に記載の包装体。
【００１１】
［３］  前記開封帯は、起点から終点に向かうにつれて、幅が狭くなるように形成されている前記［１］又は［２］に記載の包装体。
【００１２】
［４］  前記開封帯は、前記包装フィルムのうち、前記積層体の周径の５０％を取り囲むように形成されている前記［１］〜［３］のいずれかに記載の包装体。
【００１３】
［５］  前記開封帯の起点の位置を指示するマーキングが付されている前記［１］〜［４］のいずれかに記載の包装体。
【００１４】
［６］  前記接合部の剥離強度が、前記開封用切込線の破断強度よりも低い前記［１］〜［５］のいずれかに記載の包装体。
【考案の効果】
【００１５】
本考案の包装体は、輸送・運搬の際等に、意図せず包装フィルムが開封されてしまう事態を有効に防止することができる。また、製造が容易で、高い生産性で製造することが可能である。
【考案を実施するための最良の形態】
【００１６】
以下、本考案の包装体を実施するための最良の形態について、図面を参照しながら具体的に説明する。但し、本考案はその考案特定事項を備える包装体を広く包含するものであり、以下の実施形態に限定されるものではない。
【００１７】
［１］本考案の特徴部分の構成：
本考案の包装体は、例えば、図１及び図２に示す包装体１Ａのように、包装フィルム４が、一方の側縁部と他方の側縁部とが重なるように、被包装体２が複数段に積層された積層体１０の周面に巻き付けられるとともに、少なくとも一方の側縁部１２の先端側が自由端部１４となるように、積層体１０の積層方向に沿って接合されて接合部１６が形成されており、包装フィルム４には、一対の開封用切込線１８ａ，１８ｂが形成され、一対の開封用切込線１８ａ，１８ｂの間の領域が開封帯２０となっており、開封帯２０は、自由端部１４の先端を起点とし、被包装体２の積層方向に対して斜め方向に向かって形成されている包装体である。図１及び図２に示す包装体１Ａは、被包装体２がティシュカートンである包装体の例であり、５個の被包装体２ａ，２ｂ，２ｃ，２ｄ，２ｅを上下方向に５段に積層した積層体１０の周面に包装フィルム４が巻き付けられて包装されている。
【００１８】
従来の包装体は、被包装体の積層方向に沿って、又は積層方向と直交するようにミシン目等の開封手段が配置されており、しかも複数の被包装体の境目に沿って開封手段が配置されることが多かった。しかし、このような包装体は、輸送・運搬の際等に、包装体内部の複数の被包装体がその境目に沿ってずれると、包装フィルムに対して、水平方向にずれる力や水平方向に広がる力が作用し、被包装体の積層方向（垂直方向）や被包装体の積層方向と直交する方向（水平方向）に形成されたミシン目等が破断されてしまうという課題があった。
【００１９】
そこで、本考案の包装体においては、一対の開封用切込線１８ａ，１８ｂの間に形成される開封帯２０を積層体１０の積層方向に対して斜め方向に向かって配置することとした。このように、輸送や運搬の際に作用する力の方向に対して、開封手段である開封帯２０（ひいては開封用切込線１８ａ，１８ｂ）を傾斜させ、一定の角度をつけて配置することによって、開封用切込線１８ａ，１８ｂが大きな破断力を受け難くなり、輸送・運搬の際等に、意図せず包装フィルムが開封されてしまう事態を有効に防止することができる。
【００２０】
また、従来の包装体は、包装体の製造に際し、包装フィルムの開封を容易にする目的で開封用テープ、切離し用テープ等の別部材を付設していたために、包装体の製造工程が増加し、生産性を低下させていた。
【００２１】
そこで、本考案の包装体においては、従来から行われている、包装フィルムを一方の側縁部と他方の側縁部とが重なるように積層体の周面に巻き付けてその側縁部同士を接合する包装形態（キャラメル包装等）を利用し、その接合の際に包装フィルム４の一部で自由端部１４を形成し、その自由端部１４の先端を起点として、開封帯２０を形成することとした。このような構成によれば、自由端部１４が開封用テープ等として機能するため、包装体の製造に際し、開封用テープ、切離し用テープ等の別部材を付設する必要がなくなり、包装体を簡便に製造し、生産性を向上させることが可能となる。
【００２２】
本考案の包装体では、包装フィルムを一方の側縁部と他方の側縁部とが重なるように、積層体の周面に巻き付け、少なくとも一方の側縁部の先端側が自由端部となるように、被包装体の積層方向に沿って接合して接合部を形成する。
【００２３】
包装フィルムの巻き付け方向は、積層体の積層方向と直交する方向、即ち、水平方向である。これにより、少なくとも包装体の周面が被包されることになる。図１及び図２に示す包装体１Ａは、直方体状の包装体であり、その周面、即ち、４つの側面に包装フィルム４が巻き付けられている。但し、積層体の上面や底面が包装フィルムによって被包されていてもよい。
【００２４】
包装フィルムの側縁部同士は先端の５０〜１００ｍｍが重なっていることが好ましく、６０〜９０ｍｍが重なっていることが更に好ましい。包装フィルムの重なり部分が５０ｍｍ未満であると、接合部を形成する際に高い加工精度が要求されることになり、包装体の製造が困難となる場合がある。包装フィルムの重なり部分が１００ｍｍを超えると、自由端部が必要以上に幅広となり、製造コストが上昇する。
【００２５】
本考案の包装体では、被包装体の積層方向に沿って、即ち、垂直方向に向かって接合部が形成されている。接合部の形成方法は特に限定されないが、ヒートシール、超音波融着等の方法が好適に用いられる。図１及び図２に示すように、接合部１６の幅Ｗ１は５〜１５ｍｍが好ましく、５〜１０ｍｍが更に好ましい。接合部の幅が５ｍｍ未満であると、十分な接合強度が得られず、接合部の幅が１５ｍｍを超えると、開封用切込線の破断時に、接合部を剥離するために大きな剥離力を要し、開封用切込線が破断し難くなるおそれがある。
【００２６】
図１及び図２に示すように、包装フィルム４の一方の側縁部１２の先端側には自由端部１４が形成される。この自由端部１４の幅Ｗ２は、１０〜３０ｍｍが好ましく、１５〜２５ｍｍが更に好ましい。自由端部の幅が１０ｍｍ未満であると、その自由端部を摘み難くなり、開封用切込線を破断し難くなるおそれがある。自由端部の幅が３０ｍｍを超えると、自由端部の幅が必要以上に大きくなり、運搬時に他のものに引っ掛かる等、運搬時の邪魔になる。
【００２７】
なお、図１及び図２に示すように、包装フィルム４の自由端部１４の先端は、波型や鋸刃状等のジグザグ状にカットされていることがより好ましい。自由端部の先端がジグザグ状にカットされていることにより、ジグザグの切れ込み部分を起点として、開封用切込線を容易に破断することができる。
【００２８】
本考案の包装体では、包装フィルムに、一対の開封用切込線、即ち、２本１組の開封用切込線が形成されている。開封用切込線は、いわゆるミシン目であってもよいし、比較的長い切れ目が断続的に形成されたものであってもよい。但し、予期せぬ破断を防止する観点から、ミシン目であることが好ましい。
【００２９】
本考案の包装体では、図１及び図２に示すように、一対の開封用切込線１８ａ，１８ｂの間の領域が、開封手段である開封帯２０となっている。一対の開封用切込線が破断されると、帯状の部材である開封帯が形成され、それを引っ張ることにより包装体の開封が達成される。
【００３０】
開封帯２０は、包装フィルム４の一方の側縁部１２の先端側に形成される自由端部１４の先端を起点とし、被包装体２の積層方向に対して斜め方向に向かって形成される。被包装体の積層方向に対する傾斜の度合いは特に限定されない。但し、被包装体の積層方向（即ち、鉛直方向）に対して、２０〜７０°傾斜していることが好ましく、３０〜６０°傾斜していることが更に好ましい。２０°未満であると、傾斜が小さすぎ、単に鉛直方向に向かって開封手段を配置したものと同様の不具合を生ずるおそれがある。一方、７０°を超えると、逆に傾斜が大きすぎ、水平方向に向かって開封手段を配置したものと同様の不具合を生ずる場合がある。
【００３１】
開封帯は、包装フィルムのうち、最上段の被包装体を被包する部分から、最下段の被包装体を被包する部分に至るまで形成されていることが好ましい。例えば、図１に示す包装体１Ａでは、５個の被包装体２（ティシュカートン）が積層されて積層体１０を構成しており、開封帯２０は、包装フィルム４のうち、最上段の被包装体２ａを被包する部分から、最下段の被包装体２ｅを被包する部分に至るまで形成されている。
【００３２】
この場合、開封帯は、包装フィルムのうち、最上段の被包装体を被包する部分から、最下段の被包装体を被包する部分に至るまで形成されていればよく、その方向性は限定されない。即ち、図１及び図２に示す例では、包装体１Ａの上部に起点が形成され、そこから下部に向かって開封帯２０が配置されているが、これとは逆に、包装体の下部に起点が形成され、そこから上部に向かって開封帯が配置されていてもよい。但し、図１に示すように、包装体１Ａの上部に起点が形成され、そこから下部に向かって開封帯２０が配置されている方が、起点が上部にあり開封が容易となる点において好ましい。
【００３３】
また、図１及び図２に示すように、開封帯２０は、起点から終点に向かうにつれて、幅が狭くなるように形成されていることが好ましい。このような形態は、開封帯の起点部分を引っ張ると、その引張力が減衰することなく、終点部分にまで到達し、容易に開封帯を破断できるという利点がある。幅を狭める度合いとしては、起点部分の幅に対する終点部分の幅の比率が４０〜９０％であることが好ましく、５０〜８０％であることが更に好ましい。４０％未満であると、開封帯の終点側の幅が狭くなりすぎて、開封帯が中途で破断されてしまうおそれがある。一方、９０％を超えると、終点側で十分に引張力が収束せず、開封帯の終点まで破断できなくなる場合がある。
【００３４】
更に、開封帯は、包装フィルムのうち、積層体の周径の５０％を取り囲むように形成されていることが好ましい。こうすることにより、包装フィルムが十分に破断され、内容物である被包装体の取出しが容易となる。このような効果をより確実に発揮させるためには、包装フィルムのうち、積層体の周径の７０％を取り囲むように形成されていることが更に好ましい。例えば、ティシュカートンのような直方体状の被包装体を包装した包装体であれば、長方形の外周形状のうち、３辺を取り囲むように、開封帯が形成されていることが好ましい。
【００３５】
更にまた、本考案の包装体は、開封帯の起点の位置を指示するマーキングが付されていることが好ましい。このマーキングによって、使用者は間違えることなく、開封帯の起点を探し出すことができ、開封用切込線を確実に破断して包装フィルムを開封することができる。
【００３６】
マーキングの態様は特に限定されず、文字、記号、図形、着色等を採用することができる。マーキングは、包装フィルムの一方の側縁部の先端側に形成される自由端部に付してもよいし、包装フィルムの自由端部の近傍の部分に付してもよい。図１に示す包装体１Ａでは、包装フィルム４の自由端部１４の近傍の部分に、２種のマーキング２２が付されている。１つは「ここからはがせます」という文字からなるマーキング２２ａであり、もう１つは着色された矢印の記号からなるマーキング２２ｂである。
【００３７】
本考案の包装体においては、接合部の剥離強度が、開封用切込線の破断強度よりも低いことが好ましい。接合部の剥離強度をこの範囲とすることによって、接合部を剥離しながら開封帯を確実に破断できるという効果を得ることができる。開封用切込線の破断強度は、開封用切込線がミシン目で構成される場合には、ミシン目のピッチを調整すること等により、適宜調整することができる。
【００３８】
［２］本考案の他の部分の構成：
以下、本考案の包装体の他の部分について説明する。本考案の包装体は、複数の被包装体が多段に積層された積層体と、前記積層体を被包する包装フィルムとを備える。
【００３９】
「被包装体」について特に制限はないが、例えば、使い捨て紙製品、より具体的には、ロール状衛生用紙（トイレットペーパー、キッチンペーパー、タオルペーパー、クッキングシート等）、カートン入り衛生用紙（ティシュペーパー等）、生理用ナプキン、使い捨ておむつ等を挙げることができる。
【００４０】
本考案の包装体は、複数の被包装体が多段に積層されて積層体を構成している。この積層体は、ティシュカートンのマルチパックのように、被包装体が一列多段に積層されたものであってもよいし、ロール状衛生用紙のマルチパックのように、被包装体が多列多段に積層されたものであってもよい。
【００４１】
包装フィルムの材質についても特に制限はなく、通常、包装袋に使用されるポリエチレン、ポリプロピレン等の樹脂を用いることができる。中でも、延伸性や強度の面で、ポリエチレンが好ましい。フィルムの厚さは、被包装体の種類や重量によっても異なるが、ティシュカートンを被包装体とする場合には、フィルムの厚さを１０〜３５μｍとすることが好ましい。また、トイレットペーパーのようなロール状衛生用紙の包装にはガセットチューブが利用されることが多い。この場合には、フィルムの厚さを５０〜１１０μｍとすることが好ましく、６５〜９０μｍとすることが更に好ましい。
【００４２】
包装体には、運搬用の把手が付設されていてもよい。通常、把手は、持ち運びの際の便宜のため、包装体の上面側に配置される。但し、把手の全部が包装体の上面に存在することは要しない。例えば、図１に示す包装体１Ａは、把手８が包装体１Ａの側面に固定されているが、このようなものも本考案の包装体に含まれる。
【００４３】
また、「把手」は、包装フィルムと一体的に形成されたものであってもよいし、包装フィルムとは別の部材を付設したものであってもよい。例えば、手提げ袋の吊り手のようなものを「把手」として付設してもよい。
【００４４】
［３］包装体の製造方法：
本考案の包装体は、従来公知の包装体の製造方法に準じて製造することができる。
【００４５】
図１及び図２に示す包装体１Ａは、複数の被包装体２がキャラメル包装された包装体の例である。このような包装体の場合には、まず、予め、一対の開封用切込線を所定の位置に形成した包装フィルムを用意する。この包装フィルムには、所定の位置に開封帯の起点を示すマーキングを印刷しておいてもよい。
【００４６】
そして、この包装フィルムを、一方の側縁部と他方の側縁部とが少なくとも自由端部の分だけ重なるように、複数の被包装体が多段に積層された積層体の周面に巻き付ける。次いで、少なくとも一方の側縁部が自由端部となるように、被包装体の積層方向に沿ってヒートシールや超音波融着等の方法で接合して接合部を形成する。こうすることにより、本考案の包装体を得ることができる。
【産業上の利用可能性】
【００４７】
本考案の包装体は、例えば、ロール状衛生用紙（トイレットペーパー、キッチンペーパー、タオルペーパー、クッキングシート等）、カートン入り衛生用紙（ティシュペーパー等）、生理用ナプキン、使い捨ておむつ等の使い捨て紙製品を被包装体とする包装体として好適に用いることができる。
【図面の簡単な説明】
【００４８】
【図１】本考案の包装体の一の実施形態を示す斜視図である。
【図２】図１に示す本考案の包装体を裏側から見た状態を示す斜視図である。
【符号の説明】
【００４９】
１Ａ：包装体、２，２ａ，２ｂ，２ｃ，２ｄ，２ｅ：被包装体、４：包装フィルム、６：上面、８：把手、１０：積層体、１２：側縁部、１４：自由端部、１６：接合部、１８ａ，１８ｂ：開封用切込線、２０：開封帯、２２，２２ａ，２２ｂ：マーキング。
【図１】
0003140206.tif 000003
【図２】
0003140206.tif 000004